(57)【特許請求の範囲】
【請求項１】
長期進化型（ＬＴＥ）無線送受信ユニット（ＷＴＲＵ）においてセル再選択を実行する方法において、
セル再選択優先度を受信するステップと、
前記セル再選択優先度が有効である時間の長さを表すタイマー情報を受信するステップと、
前記受信されたタイマー情報に基づいて、タイマーを始動するステップと、
ハイブリッドクローズド加入者グループ（ＣＳＧ）セルから、ハイブリッドＣＳＧセルインジケータを含むシステム情報ブロードキャストを受信するステップと、
前記タイマーが満了しておらず、および、前記ハイブリッドＣＳＧセルインジケータがＣＳＧセルＩＤに対応する識別を含む条件にて、前記セル再選択優先度を使用して前記ハイブリッドＣＳＧセルへセル再選択を実行するステップと
を備えることを特徴とする方法。
【請求項２】
前記ハイブリッドＣＳＧセルインジケータは、ＣＳＧセルインジケータおよびＣＳＧセルＩＤに対応する前記識別に基づいて、ハイブリッドＣＳＧセルを示していることを特徴とする請求項１に記載の方法。
【請求項３】
１ビットＣＳＧセルインジケータに基づいて、前記ハイブリッドＣＳＧセルがパブリックＣＳＧセルであることを判定するステップ
をさらに備えることを特徴とする請求項１に記載の方法。
【請求項４】
前記ハイブリッドＣＳＧセルへセル再選択を実行する前記ステップは、ＣＳＧセルＩＤに対応する前記識別が前記ＷＴＲＵのホワイトリストの中にあることを確認することなしに実行されることを特徴とする請求項１に記載の方法。
【請求項５】
ＣＳＧセルＩＤに対応する前記識別は、物理セルＩＤであることを特徴とする請求項１に記載の方法。
【請求項６】
前記ＷＴＲＵがハイブリッドＣＳＧセルサービスへの加入者である条件で、前記ハイブリッドＣＳＧセルへのセル再選択を実行するステップをさらに備えることを特徴とする請求項１に記載の方法。
【請求項７】
前記タイマーが満了したという条件で、システム情報（ＳＩ）メッセージを読み出して、新規のセル再選択優先度を取得するステップをさらに備えることを特徴とする請求項１に記載の方法。
【請求項８】
前記タイマーが満了したという条件で、次の定期的機会においてシステム情報（ＳＩ）メッセージを読み出して、新規のセル再選択優先度を取得するステップをさらに備えることを特徴とする請求項１に記載の方法。
【請求項９】
前記タイマーが満了したという条件で、新規のセル再選択優先度を要求するステップをさらに備えることを特徴とする請求項１に記載の方法。
【請求項１０】
前記タイマーが満了していなかったという条件で、
新規のセル再選択優先度が受信されたかどうかを判定するステップと、
前記新規のセル再選択優先度を使用して、セル再選択を実行するステップと、
前記受信されたタイマー情報に基づいて、前記タイマーをリセットするステップと
をさらに備えることを特徴とする請求項１に記載の方法。
【請求項１１】
セル再選択を実行するように構成された長期進化型（ＬＴＥ）無線送受信ユニット（ＷＴＲＵ）において、
セル再選択優先度を受信し、および
前記セル再選択優先度が有効である時間の長さを表すタイマー情報を受信するように構成された受信機と、
前記受信されたタイマー情報に基づいて、タイマーを始動するよう構成されたプロセッサとを備え、
前記受信機は、ハイブリッドクローズド加入者グループ（ＣＳＧ）セルから、ハイブリッドＣＳＧセルインジケータを含むシステム情報ブロードキャストを受信するようさらに構成されており、
前記プロセッサは、前記タイマーが満了しておらず、および、前記ハイブリッドＣＳＧセルインジケータがＣＳＧセルＩＤに対応する識別を含む条件で、前記セル再選択優先度を使用して前記ハイブリッドＣＳＧセルへセル再選択を実行するようにさらに構成されたことを特徴とするＷＴＲＵ。
【請求項１２】
前記ハイブリッドＣＳＧセルインジケータは、ＣＳＧセルインジケータおよびＣＳＧセルＩＤに対応する前記識別に基づいて、ハイブリッドＣＳＧセルを示していることを特徴とする請求項１１に記載のＷＴＲＵ。
【請求項１３】
前記プロセッサは、１ビットＣＳＧセルインジケータに基づいて、前記ハイブリッドＣＳＧセルがパブリックＣＳＧセルであることを判定するようさらに構成されていることを特徴とする請求項１１に記載のＷＴＲＵ。
【請求項１４】
前記プロセッサは、ＣＳＧセルＩＤに対応する前記識別が前記ＷＴＲＵのホワイトリストの中にあることを確認することなしに、前記ハイブリッドＣＳＧセルへセル再選択を実行するようさらに構成されていることを特徴とする請求項１１に記載のＷＴＲＵ。
【請求項１５】
ＣＳＧセルＩＤに対応する前記識別は、物理セルＩＤであることを特徴とする請求項１１に記載のＷＴＲＵ。
【請求項１６】
前記プロセッサは、前記ＷＴＲＵがハイブリッドＣＳＧセルサービスへの加入者である条件で、前記ハイブリッドＣＳＧセルへのセル再選択を実行するようさらに構成されていることを特徴とする請求項１１に記載のＷＴＲＵ。
【請求項１７】
前記プロセッサは、前記タイマーが満了したという条件で、システム情報（ＳＩ）メッセージを読み出して、新規のセル再選択優先度を取得するようさらに構成されていることを特徴とする請求項１１に記載のＷＴＲＵ。
【請求項１８】
前記プロセッサは、前記タイマーが満了したという条件で、次の定期的機会においてシステム情報（ＳＩ）メッセージを読み出して、新規のセル再選択優先度を取得するようさらに構成されていることを特徴とする請求項１１に記載のＷＴＲＵ。
【請求項１９】
前記プロセッサは、前記タイマーが満了したという条件で、新規のセル再選択優先度を要求するようさらに構成されていることを特徴とする請求項１１に記載のＷＴＲＵ。
【請求項２０】
前記プロセッサは、前記タイマーが満了していなかったという条件で、
新規のセル再選択優先度が受信されたかどうかを判定し、
前記新規のセル再選択優先度を使用して、セル再選択を実行し、および、
前記受信されたタイマー情報に基づいて、前記タイマーをリセットするようさらに構成されていることを特徴とする請求項１１に記載のＷＴＲＵ。
【発明の詳細な説明】
【技術分野】
【０００１】
本願は無線通信に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）のＬＴＥ（Ｌｏｎｇ  Ｔｅｒｍ  Ｅｖｏｌｕｔｉｏｎ：長期進化型）においては、測定値はＷＴＲＵ（Ｗｉｒｅｌｅｓｓ  Ｔｒａｎｓｍｉｔ  Ｒｅｃｅｉｖｅ  Ｕｎｉｔ：無線送受信ユニット）移動性状態（ｍｏｂｉｌｉｔｙ  ｓｔａｔｅ）を勘案する。例えば、ＷＴＲＵが低速にて動いているかまたは停止しているかでは、郊外地域または高速道路にて高速で移動するＷＴＲＵに対して無線の送信および受信においてドップラー効果に依り測定値に異なった影響を有する。したがってＬＴＥにおいては、異なった移動性速度についてのドップラー効果を相殺させまたは正規化するために、異なった移動性状態のＷＴＲＵに対しては測定値に関して異なった換算係数（ｓｃａｌｉｎｇ  ｆａｃｔｏｒｓ）が適合する。待機（ｉｄｌｅ）モードおよび接続（ｃｏｎｎｅｃｔｅｄ）モードの間のＷＴＲＵ移動性状態を維持する方法に関しては明確にされていない。
【０００３】
ＬＴＥにおいては、ＷＴＲＵは３つの移動性状態：低速（ｌｏｗ）移動性、中間（ｍｅｄｉｕｍ）移動性、および高速（ｈｉｇｈ）移動性、を有する。ＷＴＲＵに呼がないときの待機モードにおいては、ＷＴＲＵが再選択の数を計数する。ＷＴＲＵに呼があるときの接続モードにおいては、ＷＴＲＵがハンドオーバーの数を計数する。ＷＴＲＵは、再選択の数またはハンドオーバーの数を計数し、そしてそれが移動していない（静止状態（ｓｔａｔｉｏｎａｒｙ）とも呼ばれる）か、低速で移動している（通常移動性（ｎｏｒｍａｌ  ｍｏｂｉｌｉｔｙ）とも呼ばれる）か、または高速で移動している（高速移動性とも呼ばれる）かを判定する。再選択するために必要な時間はハンドオーバーを実行するために必要な時間とは異なるため、再選択およびハンドオーバーは別に取り扱われる。ほとんどの目的に対しては待機モードから接続モードに移動性状態を持ち越すことはできない。ＷＴＲＵが待機モードから接続モードに遷移するときに移動性状態を適合させる機構が必要である。また、ＷＴＲＵが待機モードにおいて高速で移動しており、そして次に接続モードへ遷移するなら、ＷＴＲＵが移動性状態の判定を再開することを必要とするべきではないという意味で、モード間の移動性状態を逸失するべきでない。例えば、ＷＴＲＵが高速で移動している（すなわち高速移動性状態にある）なら、それはＷＴＲＵが再選択およびハンドオーバーを実行する方法に影響を与える。
【０００４】
ＷＴＲＵが別のセルへ再選択するよう試みるときには、ターゲットセルが最小信号レベル、信号強度、および状況（ｃｏｎｄｉｔｉｏｎ）を満足することを確認する必要がある。ＷＴＲＵは、ネットワークによって送信されるいくつかのパラメータとこのデータを比較する。その比較はＳ指標（ｃｒｉｔｅｒｉａ）と呼ばれる式において具現化される。Ｓ指標は事実上、ターゲットセルがどの程度強いか、または弱いかを示す。その信号強度およびネットワークによりシグナリングされた閾値の間の差であるＳ指標がゼロより小さい場合には、ＷＴＲＵはターゲットセルを考慮する必要はない。Ｓ指標がゼロより大きい場合には、ＷＴＲＵはターゲットセルにキャンプ・オンするよう進める。Ｓ指標は、ターゲットセルの信号強度が少なくとも最小閾値を絶対に満足させる必要があることを意味し、それより低いなら、ターゲットセルはキャンプする価値がないとネットワークは理解する。ＬＴＥ  ＷＴＲＵのセル選択および再選択の基本的な規則では、対応セルまたは別のセルの信号強度をＷＴＲＵにＳ指標を使用してチェックさせる。ＬＴＥにおいては、Ｓ指標中の１つの構成要素、すなわちＰ補正（Ｐｃｏｍｐｅｎｓａｔｉｏｎ）パラメータが、未定義のままであり、そして明確にされる必要がある。
【０００５】
ＬＴＥは、セル再選択において優先度（ｐｒｉｏｒｉｔｙ）の概念を含み、優先を与えられたある周波数、例えばＵＭＴＳまたはＧＳＭ、があることを意味する。ＷＴＲＵは、優先度に従う必要があり、したがって例えば、周波数「ａ」が優先度１を与えられる場合があり、周波数「ｂ」が優先度２を与えられる場合があり、また逆の場合もある。ＷＴＲＵは、最初に周波数「ａ」にキャンプ・オンするよう試み、そして周波数「ａ」のセルを見出すことができない場合には、周波数「ｂ」に進むことを確実にする必要がある。現在規格においては、これらの優先度がどれだけの期間有効であるかの明確な表現はない。ＷＴＲＵは、システム情報または専用のＲＲＣメッセージを使用して優先度の信号を受けることができる。しかしＷＴＲＵが、優先度がいつからもう有効でなくなる、すなわち期限切れになると見なすかは、説明されていない。
【０００６】
ＵＭＴＳシステムにおいてはＰ補正と呼ばれるパラメータがあり、ＷＴＲＵがセル再選択を実行するときに、これが経路損失（ｐａｔｈｌｏｓｓ）を補正する。Ｐ補正パラメータが如何にして設計されるかに関して、ＬＴＥにおいては今日に至るまで、何れの明確な表現も存在しない。本開示では、Ｐ補正のいくつかの定義を提案する。
【発明の概要】
【０００７】
ＬＴＥ待機モードにおいてＷＴＲＵを動作させる様々な手順を説明する。手順には：ＷＴＲＵにおいてセル再選択優先度を適用するための方法、動作モード間でＷＴＲＵの移動性状態を変換するための方法、移動性状態をＷＴＲＵに割り付けるための方法、およびＷＴＲＵがＣＳＧ（ｃｌｏｓｅｄ  ｓｕｂｓｃｒｉｂｅｒ  ｇｒｏｕｐ）セルにアクセスすることができるかを判定するための方法が含まれる。ＬＴＥ  ＷＴＲＵの待機（Ｉｄｌｅ）モードおよび接続（Ｃｏｎｎｅｃｔｅｄ）モードの間のＬＴＥ移動性状態遷移機構の動作に関する方法および装置、ＬＴＥに対するＰ補正パラメータの定義、周波数間およびＲＡＴ間のセル再選択優先度有効性定義、およびＣＳＧ加入セルに対するカバー範囲（ｃｏｖｅｒａｇｅ）拡張原理、をもまた説明する。
【図面の簡単な説明】
【０００８】
添付図面に関連して例として与えられる以下の説明から、より詳細な理解を得ることができる。
【図１】複数のＷＴＲＵ（Ｗｉｒｅｌｅｓｓ  Ｔｒａｎｓｍｉｔ  Ｒｅｃｅｉｖｅ  Ｕｎｉｔ：無線送受信ユニット）および１つのｅＮＢ（ｅｖｏｌｖｅｄ  Ｎｏｄｅ  Ｂ：ｅノードＢ）を含む無線通信システムの一例を示す図である。
【図２】図１の１つのＷＴＲＵおよびｅＮＢの機能的ブロック図の一例を示す図である。
【図３】セル再選択優先度情報を更新するための方法のフロー図である。
【図４】タイマーに関連してセル再選択優先度情報を更新するための方法のフロー図である。
【図５】ＷＴＲＵがＲＲＣモードを変更するときＷＴＲＵの移動性状態を変換するための方法のフロー図である。
【図６】ＷＴＲＵがＲＲＣモードを変更するときネットワークによりＷＴＲＵの移動性状態を割り付けるための方法のフロー図である。
【発明を実施するための形態】
【０００９】
今後において参照されると、用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は、限定的ではなく、ＵＥ（Ｕｓｅｒ  Ｅｑｕｉｐｍｅｎｔ：ユーザー機器）、移動体端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。今後において参照されると、用語「基地局（ｂａｓｅ  ｓｔａｔｉｏｎ）」は、限定的ではなく、ノードＢ（Ｎｏｄｅ−Ｂ）、ｅＮＢ（ｅｖｏｌｖｅｄ  Ｎｏｄｅ  Ｂ：ｅノードＢ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【００１０】
図１は、複数のＷＴＲＵおよび１つのｅＮＢを含む無線通信システム１００の一例を示す。図１に示されるように、ＷＴＲＵ１１０はｅＮＢ１２０と通信状態にある。図１においてはＷＴＲＵ１１０およびｅＮＢ１２０の構成の一例が表現されるが、無線通信システム１００においては無線のそして有線の装置の何れの組み合わせをも含むことができることに注意するべきである。
【００１１】
図２は、図１の無線通信システム１００の１つのＷＴＲＵ１１０およびｅＮＢ１２０の機能的ブロック図２００の一例を示す。図２に示されるように、ＷＴＲＵ１１０はｅＮＢ１２０と通信状態にある。
【００１２】
通常のＷＴＲＵにおいて見出すことができる構成要素に加えて、ＷＴＲＵ１１０は、処理装置１１２、受信機１１４、送信機１１６、およびアンテナ１１８を含む。受信機１１４および送信機１１６は、処理装置１１２と通信状態にある。アンテナ１１８は受信機１１４および送信機１１６の両方と通信状態にあり、無線データの送信および受信を容易にする。処理装置１１２は、ＷＴＲＵのＬＴＥ移動性状態を判定し、セル再選択指標を判定し、セル再選択優先度の有効性を判定し、そしてＣＳＧセルカバー範囲拡張を判定するように構成される。
【００１３】
通常のｅＮＢにおいて見出すことができる構成要素に加えて、ｅＮＢ１２０は、処理装置１２２、受信機１２４、送信機１２６、およびアンテナ１２８を含む。受信機１２４および送信機１２６は、処理装置１２２と通信状態にある。アンテナ１２８は受信機１２４および送信機１２６の両方と通信状態にあり、無線データの送信および受信を容易にする。処理装置１２２は、ＷＴＲＵのＬＴＥ移動性状態を判定し、セル再選択指標を判定し、セル再選択優先度の有効性を判定し、そしてＣＳＧセルカバー範囲拡張を判定するように構成される。
【００１４】
ＬＴＥ再選択優先度に対する有効性の有効期間
ＷＴＲＵは自身の再選択優先度を維持するために以下の条件の内の１つまたは複数を使用することができる。以下にリストアップされたすべての条件において、新規の優先度がネットワークによってシグナリングされると、ＷＴＲＵの既に存在する優先度を上書きすることができる。
【００１５】
（１）ＷＴＲＵ電源オン／ＷＴＲＵ電源オフ。この場合において、ＷＴＲＵがいったんセル再選択優先度を受信すると、ＷＴＲＵがオフにされるまで、またはセル再選択優先度がネットワークによって上書きされるまで、それらは保持される。
【００１６】
（２）次のＳＩ（Ｓｙｓｔｅｍ  Ｉｎｆｏｒｍａｔｉｏｎ：システム情報）更新。ＷＴＲＵは、次のＳＩ更新までセル再選択優先度を維持することができる。ＳＩが変化すると、ＷＴＲＵはＳＩを再読し、そしてセル再選択優先度を更新する。新規のＳＩに基づきセル再選択優先度をＷＴＲＵが更新しないという、ある条件がある場合がある。例えば、ＷＴＲＵが既に専用のセル再選択優先度を有する場合には、ＳＩによって提供されたセル再選択優先度をそれは上書きしないかもしれない。
【００１７】
一般に、ＳＩによって提供されるセル再選択優先度情報はブロードキャストされるので、すべてのＷＴＲＵが同一のセル再選択優先度情報を受信する。専用セル再選択優先度は、所与のＷＴＲＵに送られる。従ってＷＴＲＵが専用セル再選択優先度を有するなら、ＳＩが変化する次のＳＩ更新においても、ＷＴＲＵは、専用セル再選択優先度をＳＩからのセル再選択優先度により上書きしないかも知れない。
【００１８】
図３は、セル再選択優先度情報を更新するための方法３００のフロー図である。ＷＴＲＵが既存のセル再選択優先度を適用している状態にて方法は開始する（ステップ３０２）。ＷＴＲＵが専用セル再選択優先度を受信したかの判定が為される（ステップ３０４）。ＷＴＲＵが専用セル再選択優先度を受信した場合には、ＷＴＲＵは、既存のセル再選択優先度を上書きし、専用セル再選択優先度を適用する（ステップ３０６）。
【００１９】
ＷＴＲＵはまた、専用セル再選択優先度が有効である時間の長さを表すために、専用セル再選択優先度と共にタイマー情報を受信することができる。ＷＴＲＵが専用セル再選択優先度に関してタイマー情報を受信しない場合には（ステップ３０８）、方法は終了する（ステップ３１０）。ＷＴＲＵが専用セル再選択優先度に対してタイマー情報を受信するなら（ステップ３０８）、タイマーが始動される（ステップ３１２）。タイマーが満了すると（ステップ３１４）、専用セル再選択優先度がもはや有効でないことを意味する。
【００２０】
ＷＴＲＵがいずれの専用セル再選択優先度をも受信していない場合（ステップ３０４）、またはタイマーが満了した場合（ステップ３１４）には、ＷＴＲＵはＳＩ更新を受信することを待つ（ステップ３１６）。ＳＩ更新を受信した後にＷＴＲＵは、既存のセル再選択優先度をＳＩ更新中に含まれている情報により上書きし（ステップ３１８）、そして方法は終了する（ステップ３１０）。
【００２１】
（３）タイマー情報。ＷＴＲＵにシグナリングされるセル再選択優先度と共に、有効性時間（ｖａｌｉｄｉｔｙ  ｔｉｍｅ）と呼ばれる随意的パラメータが定義され、これがセル再選択優先度をどれだけの間保持することができるかをＷＴＲＵに伝える。タイマーが満了すると、セル再選択優先度情報は廃棄される。一実施形態においては、タイマーはＷＴＲＵによって受信された専用セル再選択優先度に適用されるのみである。別の実施形態においては、ＷＴＲＵが接続モードに入ったとき、タイマーが始動される。
【００２２】
タイマーが満了すると、ＷＴＲＵはＳＩを再読するか、または新規のセル再選択優先度を提供するようネットワークに要求する。あるいはタイマーが満了すると、ＷＴＲＵは次の利用可能なＳＩ読み出しの機会を待ってセル再選択優先度を更新する。有効性タイマーが動いている間は、ＷＴＲＵが専用セル再選択優先度を受信したなら、ＷＴＲＵのセル再選択優先度を上書きすることができる。
【００２３】
図４は、タイマーに関連してセル再選択優先度情報を更新するための方法４００のフロー図である。ＷＴＲＵがセル再選択優先度を受信している状態にて方法は開始する（ステップ４０２）。ＷＴＲＵはまた、タイマー情報を受信し（ステップ４０４）、そしてこの情報に基づきタイマーを始動する（ステップ４０６）。タイマーが満了したかの判定が為される（ステップ４０８）。タイマーが満了した場合に、ＷＴＲＵは、３つの内の１つのオプションを有する。すなわち：即時にＷＴＲＵがＳＩを再読する（ステップ４１０）か、ＷＴＲＵが次の定期的機会を待ってＳＩを読み出す（ステップ４１２）か、またはＷＴＲＵがネットワークから新規のセル再選択優先度情報を要求する（ステップ４１４）か、である。ＷＴＲＵは、新規のセル再選択優先度情報を受信した後、その新規のセル再選択優先度情報を適用し（ステップ４１６）、そして方法は終了する（ステップ４１８）。
【００２４】
タイマーが満了していないなら（ステップ４０８）、ＷＴＲＵが専用セル再選択優先度を受信したかの判定が為される（ステップ４２０）。タイマーが満了していないなら、タイマーが満了する（ステップ４０８）か、またはＷＴＲＵが専用セル再選択優先度を受信する（ステップ４２０）までＷＴＲＵは待つ。ＷＴＲＵが専用セル再選択優先度を受信した場合には（ステップ４２０）、新規のセル再選択優先度情報を適用し（ステップ４２２）、そしてタイマーをリセットする（ステップ４２４）。
【００２５】
（４）セル再選択優先度の範囲。セル再選択優先度の範囲は、いくつかの列挙された値を持つ単純変数として定義することができる。例えば、列挙された値は以下を含むことができる。すなわち：（ａ）１つのＰＬＭＮ（Ｐｕｂｌｉｃ  Ｌａｎｄ  Ｍｏｂｉｌｅ  Ｎｅｔｗｏｒｋ：公衆移動通信網）内でのみ有効、または（ｂ）多くのＰＬＭＮに亘って有効、である。別の例として、列挙された値は以下を含むことができる。すなわち：（ａ）１つのトラッキング・エリア（Ｔｒａｃｋｉｎｇ  Ａｒｅａ）内でのみ有効、（ｂ）多くのトラッキング・エリアに亘って有効、（ｃ）１つのＬＴＥ周波数レイヤー内でのみ有効、または（ｄ）いくつかのＬＴＥ周波数レイヤー（ＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）の場合、そうでない場合）の中で有効、である。セル再選択優先度の範囲の定義には、ＷＴＲＵが新規のセル再選択優先度を何時読むべきかを知るための情報が含まれる。
【００２６】
（５）ＷＴＲＵがＳＩＢ（Ｓｙｓｔｅｍ  Ｉｎｆｏｒｍａｔｉｏｎ  Ｂｌｏｃｋ：システム情報ブロック）を読み出すよう強いるＲＲＣメッセージ。ＲＲＣメッセージを使用することにより、新規のセル再選択優先度情報を獲得するために、ＷＴＲＵにＳＩＢを読み出すよう強いることができる。ＷＴＲＵに自身のセル再選択優先度情報を更新するよう強いるために既存のＲＲＣメッセージを使用することもまたできる。例えばＷＴＲＵが待機モードに入るとき、ＲＲＣ接続解放（ｒｅｌｅａｓｅ）または拒絶メッセージが、ＳＩＢを読み出すようにＷＴＲＵに強いることができる簡単な列挙されたＩＥ（Ｉｎｆｏｒｍａｔｉｏｎ  Ｅｌｅｍｅｎｔ：情報要素）を含むことができる。
【００２７】
一実施形態において、ＷＴＲＵが待機モードにありそしてＳＩが変化したなら、ネットワークは、ページング・メッセージのような新規のＲＲＣメッセージをＷＴＲＵに送り、新規のＳＩを獲得するためにＷＴＲＵにＳＩＢを読み出すよう強いることができる。セル再選択優先度が変化するかどうかは、ＳＩが変化する場合がある１つの理由である：しかしながら、何れの理由でもＳＩは変化する場合がある。
【００２８】
待機モードおよび接続モードの間の移動性状態取り扱い
ＬＴＥにおいては３つの移動性状態が定義されている。すなわち：通常状態、中間状態、および高速状態である。現在の３ＧＰＰ  ＬＴＥ仕様（ＴＳ３６．３０４）においては、待機モードにおけるＬＴＥ  ＷＴＲＵ移動性状態は、時間期間ＴCRmaxの間に経験したセル再選択の数ならびに閾値の値ＮCR_HおよびＮCR_Mに対する比較に基づき判定される。接続モードにおいては、ハンドオーバーの数が移動性の指標として使用される。
【００２９】
上記の条件を与えられると、待機モードおよび接続モードの間で移動性状態を保持するかまたは維持するために、移動性状態およびそれらの定量的／選抜的（ｑｕａｎｔｉｆｙｉｎｇ／ｑｕａｌｉｆｙｉｎｇ）パラメータの間の関係が提案される。例えば、待機モードにおけるＸ個のセル再選択を、接続モードにおけるＹ個のハンドオーバーに対応付ける、また逆のことができる。セル再選択の数をハンドオーバーの数に、またはハンドオーバーの数をセル再選択の数に対応付けることにより、地理的なセルの大きさを反映することができる。
【００３０】
ＬＴＥ  ＷＴＲＵモード間の移動性状態の直接変換
待機モードおよび接続モードの間のＷＴＲＵ移動性状態に対する直接的対応付けを定義するためのいくつかの規則が提案される。
【００３１】
（１）対称同一状態の直接的対応付け。一般に、待機モードにおける状態Ａが接続モードにおける状態Ａに対応する。例えば、待機モードの通常状態は接続モードの通常状態に対応し、待機モードの中間状態は接続モードの中間状態に対応し、そして待機モードの高速状態は接続モードの高速状態に対応する。ＷＴＲＵがモードを変化させる（待機から接続に、または接続から待機に）とき、ＷＴＲＵの移動速度が同一のままであるため、この解決方法は有益であるかもしれない。
【００３２】
（２）非対称状態の直接的対応付け。一般に、待機モードにおける状態Ａが接続モードにおける状態Ｂに対応し、またはその逆の場合がある。例えば、待機モードの通常状態は接続モードの中間状態に対応し、待機モードの中間状態および高速状態の両方が接続モードの高速状態に対応する。後者の対応付けは、接続モードにおいては測定要件がより厳しいと仮定し、その結果待機モードにおける低速移動性状態を接続モードにおいてはより高速の移動性状態に変換する。測定要件が待機モードにおいてより厳しいなら、接続モードにおけるより高速の移動性状態は、待機モードにおいてはより低速の移動性状態に対応付けることができ、例えば接続モードの通常状態が待機モードの中間状態に対応し、接続モードの中間状態および高速状態の両方が待機モードの高速状態に対応する。
【００３３】
（３）移動性状態のリセット。あるいは、ＷＴＲＵがモードを変更するときには、その前のモードにおいてのＷＴＲＵの移動性状態の如何にかかわらず、ＷＴＲＵは自身の移動性状態を静止移動性状態または通常移動性状態にリセットすることができる、
図５はＷＴＲＵがＲＲＣモードを変更するときに、ＷＴＲＵの移動性状態を変換するための方法５００のフロー図である。方法５００は、ＷＴＲＵがあるＲＲＣモードにおける移動性状態にて動作している状態にて開始する（ステップ５０２）。例えばＷＴＲＵは、待機モードにて低速移動性状態において動作している場合がある。ＷＴＲＵは、ＲＲＣモードを例えば待機モードから接続モードに変更する（ステップ５０４）。２つのＲＲＣモードの間でＷＴＲＵの移動性状態を対応付けることができる（ステップ５０６）か、またはＲＲＣモードの変更に際して移動性状態をリセットすることができる（ステップ５０８）。新規の移動性状態が、その時点のＲＲＣモードに適用され（ステップ５１０）、そして方法は終了する（ステップ５１２）。
【００３４】
ＷＴＲＵモード変更の間の移動性状態の引き継ぎおよび状態調整
この方法では、ＷＴＲＵがＲＲＣ動作モードを変更する（すなわち待機モードおよび接続モードの間で）ときには、移動性状態を以下のように取り扱うことを提案する。
【００３５】
（１）ＲＲＣモードが変化したときの、最初の移動性状態の引き継ぎ。
（２）前のモード（例えば待機モード）にて引き継いだパラメータ値から新しいモード（例えば接続モード）におけるパラメータ値への、次の短い期間（ｓｈｏｒｔ  ｐｅｒｉｏｄ）での、引き続く変換による移動性状態の調整。「短い期間（ｓｈｏｒｔ  ｐｅｒｉｏｄ）」とは、ＷＴＲＵがその間にＲＲＣモード間のパラメータ値を変換し終える必要がある、予め定義された期間である。この短い期間は、ＷＴＲＵにとって既知である場合があり、またはネットワークによりＷＴＲＵにシグナリングされる場合がある。
（ａ）状態の閾値（すなわち相当するＨＯ（ＨａｎｄＯｖｅｒ：ハンドオーバー）閾値に対するＮCR_HまたはＮCR_M）、時間期間、およびその時点のセルの再選択（ＣＲ：ｃｅｌｌ  ｒｅｓｅｌｅｃｔｉｏｎ）またはＨＯ計数値、に対して、１つのＲＲＣモードから他のモードへ移動性状態のパラメータを変換するために、システムの構成設定可能な変換係数（すべてのパラメータに対して１つ、または各パラメータに対して１つ）を定義。一例として、
ＮCR_H＝ＦＡＣCR_HO_H×ＮHO_H      式（１）
ＮCR_M＝ＦＡＣCR_HO_M×ＮHO_M      式（２）
のように、ＮCR_HおよびＮCR_M閾値をＣＲおよびＨＯに関して換算するために（ＨＯに対する変数はＮHO_HおよびＮHO_Mである場合がある）、変換係数ＦＡＣCR_HO_HおよびＦＡＣCR_HO_Mを採用する。
ＣＲおよびＨＯの間でＴMaxHystを変換するために、係数ＦＡＣT_CR_HOを使用することができる。
ＴMaxHyst-CR＝ＦＡＣT_CR_HO×ＴMaxHyst-HO      式（３）
（ｂ）あるいは、状態閾値および時間期間を維持するが、ＣＲおよびＨＯの間の計数値を変換。したがって、ＷＴＲＵのＲＲＣモードが変化するとき（待機モードから接続モードへ、またはその逆の場合）には、変換係数（ＦＡＣCR_HO_COUNT）が必要である。例えば状態変化の前での計数値は、それぞれＣｏｕｎｔHOおよびＣｏｕｎｔCRである。状態が変化したときには、変換係数ＦＡＣCR_HO_COUNTが、値を変換するために適用される。
ＣｏｕｎｔHO＝ＣｏｕｎｔHO×ＦＡＣCR_HO_COUNT      式（４）
ＣｏｕｎｔCR＝ＣｏｕｎｔCR×ＦＡＣCR_HO_COUNT      式（５）
結果としての新しい換算後の計数値は、新規状態において変化しない閾値と比較するために使用することができる。例えば換算後のＣｏｕｎｔCRは換算されないＮCR_H閾値と比較される。
【００３６】
ネットワーク依存の移動性状態割り付け
ＲＲＣモードが変化したとき、検出されたまたは報告されたＷＴＲＵ移動性状態に基づき、ネットワークがＷＴＲＵに対して移動性状態を割り付けることができる。割り付けられた移動性状態は一時的である場合があり、新規パラメータを使用して後で調整することができる。
【００３７】
（１）ＷＴＲＵは、ＲＲＣメッセージを送ることによって自身の移動性状態を報告する。ＷＴＲＵは、予め定められた時間期間の間自身のその時点の移動性状態を保持するか、またはＷＴＲＵは、上で説明された方法の１つを使用してこの期間の間に移動性状態を調整する。この目的のために、既存のＲＲＣメッセージ（例えばＲＲＣ−Ｃｏｎｎｅｃｔｉｏｎ−ＲｅｑまたはＲＲＣ−Ｒｅ−Ｅｓｔａｂｌｉｓｈｍｅｎｔ−Ｒｅｑ）の１つを使用することができ、または他の新規のまたは既存のＲＲＣメッセージを定義し、または修正することができる。ＷＴＲＵはＲＲＣモードを変更したとき、自身の移動性状態を報告する。
【００３８】
（２）ネットワークは次に、別のＲＲＣメッセージ（例えば、ＲＲＣ−Ｃｏｎｎｅｃｔｉｏｎ−Ｓｅｔｕｐ、Ｒｅ−Ｅｓｔａｂｌｉｓｈｍｅｎｔ−Ｒｅｓｐ、ＨＯ−Ｃｏｍｍａｎｄ、ＲＲＣ−Ｃｏｎｎｅｃｔｉｏｎ−Ｒｅｌｅａｓｅ、または他の任意の定義されたまたは修正されたＲＲＣメッセージ）によりその移動性状態をＷＴＲＵに割り付け、または通知する。
【００３９】
（３）ＷＴＲＵがネットワークと接続を確立したとき、待機モードから計算された移動性状態と共に移動性状態要求メッセージをＷＴＲＵが送るように、ＲＲＣメッセージを定義することができる。ネットワークは、ＷＴＲＵが有するべきであると自身が考える移動性状態と共に、移動性状態確認メッセージを送り返す。この期間の間に、ＷＴＲＵは何れの移動性計算をも実行する必要はない場合がある。
【００４０】
図６は、ＷＴＲＵがＲＲＣモードを変更するときに、ネットワークによりＷＴＲＵの移動性状態を割り付けるための方法６００のフロー図である。ＷＴＲＵがあるＲＲＣモードにてある移動性状態にて動作している状態にて、方法６００は開始する（ステップ６０２）。例えばＷＴＲＵは、待機モードにて、低速移動性状態において動作している場合がある。ＷＴＲＵは、ＲＲＣモードを例えば待機モードから接続モードに変更する（ステップ６０４）。
【００４１】
ＷＴＲＵは、その時点の移動性状態をネットワークに報告する（ステップ６０６）。あるいは、ＷＴＲＵは、ネットワークが新規の移動性状態を自身に割り付けるよう要求することができる（ステップ６０８）。ＷＴＲＵは、ネットワークからの発出によりまたはＷＴＲＵからの要求に応答して、新規の移動性状態を受信する（ステップ６１０）。新規の移動性状態は、その時点のＲＲＣモードに適用され（ステップ６１２）、そして方法が終了する（ステップ６１４）。
【００４２】
Ｓ指標Ｐ補正
セル選択指標Ｓは：
Ｓｒｘｌｅｖ＞０      式（６）
ここで、
Ｓｒｘｌｅｖ＝Ｑrxlevmeas−（Ｑrxlevmin−Ｑrxlevminoffset）−Ｐ補正      式（７）、
のときに満足される。
【００４３】
ここで、Ｓｒｘｌｅｖは、セル選択受信信号レベル値のｄＢでの値であり、Ｑrxlevmeasは、測定されたセルの受信信号レベル値（ＲＳＲＰ）であり、Ｑrxlevminは、そのセルにおける最低必要受信信号レベル（ｄＢｍの）であり、そしてＱrxlevminoffsetは、立ち入ったＰＬＭＮにて通常キャンプする間に、より高い優先度のＰＬＭＮに対する周期的な検索の結果として、セルがセル選択のために評価されるときにのみ適用される。
【００４４】
ＵＭＴＳにおいては、Ｐ補正パラメータ（これは例えば、ｍａｘ（ＵＥ＿ＴＸＰＷＲ＿ＭＡＸ＿ＲＡＣＨ−Ｐ＿ＭＡＸ，０）と定義することができる）は、セル測定値のためにアップリンク干渉を考慮に入れるために使用される。ＵＭＴＳにおいては、各ＷＴＲＵのアップリンク電力は別のＷＴＲＵの干渉になる。最大の許容アップリンク送信電力（ＵＥ＿ＴＸＰＷＲ＿ＭＡＸ＿ＲＡＣＨ）が高いときには、それはまたアップリンク干渉も高いということを含意する。したがってそれは、セル選択またはセル再選択に関してＳ指標に対して不都合な要因として現れる（すなわちＳ指標を満たすためには、Ｑrxlevmeasはより強力である必要がある）。
【００４５】
ＬＴＥにおいては、サブ・キャリア間のセル間干渉は無いかまたは非常に低いと推定される。したがって、アップリンクＲＡＣＨに関してのＷＴＲＵ間の干渉は、無視できる程度に小さいと想定される（この場合）。以下のオプションが提案される。
【００４６】
（１）式（８）から次のようにＰ補正項を除去。すなわち、
Ｓｒｘｌｅｖ＝Ｑrxlevmeas−（Ｑrxlevmin−Ｑrxlevminoffset）      式（８）。
Ｑrxlevminoffsetの値は、Ｐ補正の値を予め補正するべきであり、Ｐ補正が必要でないようにＱrxlevminoffsetを定義することができることを意味する。
【００４７】
（２）式（７）におけるＰ補正項が、両方向においてＳｒｘｌｅｖに影響することを可能とする。すなわち、ＱrxlevmeasがＳ指標を満足するために、より強いかまたはより弱いことが必要である。Ｐ補正＝（ＵＥ＿ＴＸＰＷＲ＿ＭＡＸ＿ＲＡＣＨ−Ｐ＿ＭＡＸ）のように設定する。その結果、ＵＥ＿ＴＸＰＷＲ＿ＭＡＸ＿ＲＡＣＨがＷＴＲＵのＰ＿ＭＡＸより大きいことをシステムが公表したなら、Ｐ補正は正（ｐｏｓｉｔｉｖｅ）であり、条件Ｓｒｘｌｅｖ＞０を満たすようＱrxlevmeasがより高いことが必要である。ＵＥ＿ＴＸＰＷＲ＿ＭＡＸ＿ＲＡＣＨがＷＴＲＵのＰ＿ＭＡＸより小さいなら、Ｐ補正は負（ｎｅｇａｔｉｖｅ）であり、条件Ｓｒｘｌｅｖ＞０を満たすようＱrxlevmeasがより低いことが必要である（Ｐ補正＝ｍａｘ（ＵＥ＿ＴＸＰＷＲ＿ＭＡＸ＿ＲＡＣＨ−Ｐ＿ＭＡＸ、０）である、ＵＭＴＳにおける場合とは対照的に）。これは、ＵＥ＿ＴＸＰＷＲ＿ＭＡＸ＿ＲＡＣＨがＷＴＲＵのＰ＿ＭＡＸより小さいときに、Ｐ補正が０であり、その結果この式に寄与しないことを意味する。
【００４８】
（３）Ｐ補正に対する別のオプションは、ＷＴＲＵがＬＴＥセルにおいて測定する経路損失（ｅＮＢからの距離、すなわち、経路損失＝ＣＥＬＬ＿ＴＸ＿ＰＯＷＥＲ−Ｑrxlevmeas）とアップリンク補正を均衡させることである。従って経路損失の値が大きければ大きいほど、Ｓ指標への補正は、ますます強くまたは弱くなる。式（７）におけるＳｒｘｌｅｖ式に対して、Ｐ補正＝補正（ｃｏｍｐｅｎｓａｔｅ）（経路損失、ネットワークまたはシステムで定義された補正値表（ｃｏｍｐ−ｖａｌｕｅ−ｔａｂｌｅ））であり、ここで補正（ｃｏｍｐｅｎｓａｔｅ）とは、その時点のＷＴＲＵの経路損失およびネットワーク定義の補正ベクトルに基づき補正値を返す何れかの関数であることができる。
【００４９】
経路損失に関しての補正値対応付けに対する２つの例は以下の通りである。
（ａ）Ｐ補正値が経路損失値の関数からもたらされる。
Ｐ補正＝（ａ×経路損失）＋ｂ      式（９）。
【００５０】
ここでａは換算係数、そしてｂは補正値（ｏｆｆｓｅｔ）である。ａおよびｂは両方とも、任意の正または負数、分数、または０であることができる。これが測定経路損失の範囲に適用して線形である（すなわち、ａとｂは全体にわたって常に一つの値である）か、または離散的であることができることに注意されたい。例えば、３０および４０ｄＢの間の経路損失測定値に関しては、ａは２／３そしてｂは４であり、一方４０および５０ｄＢの間の経路損失測定値に関しては、ａは３／４でありそしてｂは５である、など。
【００５１】
経路損失値は、その時点の測定値（すなわち、Ｑrxlevmeasと共に、言うなればｎ番目の）または一つ前の測定値（言うなればｎ−１番目の）に基づき、可能なジッタ−（ｊｉｔｔｅｒｉｎｇ）を平坦化する。ａおよびｂの値は、ＲＲＣシグナリング、ＳＩＢシグナリング、を通してＷＴＲＵにシグナリングすることができるか、仕様的に予め定義することができるか、またはその値によりＷＴＲＵを予め設定することができる。
【００５２】
（ｂ）Ｐ補正値が、次のような、規格で定義されたまたはネットワークによって公開された対応付け表から獲得（ＳＩを介して）される。
【００５３】
【表１】
0005883088.tif 000002
【００５４】
他の値または表をもまた使用することができる。
【００５５】
カバー範囲拡張加入
ＣＳＧカバー範囲（ｃｏｖｅｒａｇｅ）拡張とは、マクロ・セルのカバー範囲を拡張するためにＣＳＧセルを使用することができる場合には、特定の場所にＣＳＧセルを置き、マクロ・セルがサービスを提供できない領域にサービスを提供することができるということを意味する。ネットワーク運用者（ｏｐｅｒａｔｏｒ）は、カバー範囲拡張目的のためにＣＳＧセルを配備することができる。一部のユーザーがこのサービスに加入する場合があり、そして他のものには加入しない場合がある。
【００５６】
ＷＴＲＵは、ユーザー／ＷＴＲＵのこれらのサービスに対する加入状態を表す構成設定可能なパラメータ（例えば１ビット）を持つことができる。このパラメータを構成設定するためにネットワークは、ＮＡＳ（Ｎｏｎ−Ａｃｃｅｓｓ  Ｓｔｒａｔｕｍ：非アクセス・ストレータム）、ＲＲＣ、またはＯＭＡ（Ｏｐｅｎ  Ｍｏｂｉｌｅ  Ａｌｌｉａｎｃｅ）  Ｄｅｖｉｃｅ  Ｍａｎａｇｅｍｅｎｔシグナリングの内の少なくとも１つを使用することができる。ＷＴＲＵにおいてはこのパラメータを非揮発性メモリ中に、ＵＩＣＣ（Ｕｎｉｖｅｒｓａｌ  Ｉｎｔｅｇｒａｔｅｄ  Ｃｉｒｃｕｉｔ  Ｃａｒｄ）（例えばＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）またはＬＴＥの等価な物）中に、またはＷＴＲＵの中のどこか他の場所（例えば読み出し専用メモリ（Ｒｅａｄ−Ｏｎｌｙ  Ｍｅｍｏｒｙ））に、格納することができる。
【００５７】
ＷＴＲＵは、カバー範囲拡張パラメータを使用して、自身がカバー範囲拡張ＣＳＧセル（これはまた、ハイブリッド・セルと呼ぶことができる）へのアクセス権を有するか否かを判定することができる。カバー範囲拡張ＣＳＧセルを検出（待機モードまたは接続モードにおいて）したＷＴＲＵは、ＷＴＲＵの中のカバー範囲拡張パラメータがカバー範囲拡張サービスに対して有効な加入を表す（例えば設定されたビットにより）なら、そのＣＳＧセルへのアクセス権を自身が有すると判定することができる。ＷＴＲＵは、以下の内の少なくとも１つを使用してセルがカバー範囲拡張ＣＳＧセルであることを検出することができる。
【００５８】
（１）システム情報（例えば、ＳＩＢ１）上の１ビットのＣＳＧ表示子（ｉｎｄｉｃａｔｏｒ）が真（ｔｒｕｅ）に設定されている。
【００５９】
（２）Ｐｈｙｓｉｃａｌ  Ｃｅｌｌ  ＩＤがＣＳＧセルに対応する。
【００６０】
（３）システム情報（例えば、ＳＩＢ１）上のブロードキャスト・チャンネル上の表示子（例えば１ビット）が、セルがカバー範囲拡張のためのものであることを表している（例えば１ビットの表示子または公開／非公開のＣＳＧセル表示子）。カバー範囲拡張表示子は、随意的ビットである場合、ＣＳＧ表示子が「真」に設定される場合にのみ存在する場合、または必須である場合がある。
【００６１】
（４）カバー範囲拡張ＣＳＧセルに対応する物理セル（Ｐｈｙｓｉｃａｌ  Ｃｅｌｌ）ＩＤ。
【００６２】
有効なカバー範囲拡張ＣＳＧセルを持つＷＴＲＵは、アクセス可能性を確認するために自身のホワイト・リストにおいてカバー範囲拡張ＣＳＧセルのＣＳＧ  ＩＤの存在を確認する必要はないであろうし、そして自身のホワイト・リスト上のＣＳＧ  ＩＤを確認することなく、そのようなカバー範囲拡張ＣＳＧセルを選択／再選択／ハンドオーバーをすることができるであろう。有効なカバー範囲拡張加入を持つＷＴＲＵは、アクセス可能なカバー範囲拡張ＣＳＧセルのＣＳＧ  ＩＤを自身のホワイト・リストに自動的に追加することができる。
【００６３】
有効なカバー範囲拡張加入のない（構成設定可能なパラメータのある値、例えばあるビットが設定されていないこと、により表される）ＷＴＲＵは、カバー範囲拡張ＣＳＧセルにアクセスすることはできないであろう。しかしながらそのようなＷＴＲＵは、カバー範囲拡張ＣＳＧセルのＣＳＧ  ＩＤが自身のホワイト・リストにおいてプログラムされているなら、このセルにアクセス権を有することができる。
【００６４】
（実施形態）
１．無線送受信ユニット（ｗｉｒｅｌｅｓｓ  ｔｒａｎｓｍｉｔ  ｒｅｃｅｉｖｅ  ｕｎｉｔ）においてセル再選択優先度を適用するための方法であって、セル再選択優先度を受信して適用するステップと、前記セル再選択優先度に関連するタイマー情報を受信するステップと、前記受信されたタイマー情報に基づきタイマーを始動するステップと、前記タイマーが満了するという条件にて、新規のセル再選択優先度を獲得するステップと、前記新規のセル再選択優先度を適用するステップとを含むことを特徴とする方法。
【００６５】
２．前記獲得するステップが、即時にシステム情報を再読して前記新規のセル再選択優先度を獲得するステップを含むことを特徴とする実施形態１に記載の方法。
【００６６】
３．前記獲得するステップが、次の定期的機会にてシステム情報を再読して前記新規のセル再選択優先度を獲得するステップを含むことを特徴とする実施形態１に記載の方法。
【００６７】
４．前記獲得するステップが、前記新規のセル再選択優先度を要求するステップを含むことを特徴とする実施形態１に記載の方法。
【００６８】
５．前記タイマーが満了していないという条件にて、新規のセル再選択優先度を受信したかを判定するステップと、新規のセル再選択優先度を受信したという条件にて、前記新規のセル再選択優先度を適用するステップと前記受信されたタイマー情報に基づき前記タイマーをリセットするステップとをさらに含むことを特徴とする実施形態１〜４の内の１つに記載の方法。
【００６９】
６．無線送受信ユニット（ｗｉｒｅｌｅｓｓ  ｔｒａｎｓｍｉｔ  ｒｅｃｅｉｖｅ  ｕｎｉｔ）においてセル再選択優先度を適用するための方法であって、セル再選択優先度を受信して適用するステップと、前記セル再選択優先度の範囲に関する情報を受信するステップと、前記範囲情報によって表された時間に新規のセル再選択優先度を読み出すステップとを含むことを特徴とする方法。
【００７０】
７．前記範囲情報が、列挙された値を有する変数を含むことを特徴とする実施形態６に記載の方法。
【００７１】
８．前記列挙された値が、１つの公衆移動通信網（ｐｕｂｌｉｃ  ｌａｎｄ  ｍｏｂｉｌｅ  ｎｅｔｗｏｒｋ）内で有効、多くの公衆移動通信網に亘って有効、１つのトラッキング・エリア内で有効、多くのトラッキング・エリアに亘って有効、１つの周波数レイヤー内で有効、多くの周波数レイヤー内で有効、の内の１つであることを特徴とする実施形態７に記載の方法。
【００７２】
９．動作モードの間でＷＴＲＵ（Ｗｉｒｅｌｅｓｓ  Ｔｒａｎｓｍｉｔ  Ｒｅｃｅｉｖｅ  Ｕｎｉｔ：無線送受信ユニット）の移動性状態を変換するための方法であって、第１の動作モードにおいて前記ＷＴＲＵの移動性状態を判定するステップと、前記第１の動作モードにおける前記移動性状態を第２の動作モードにおける第２の移動性状態に対応付けるステップと、前記ＷＴＲＵを前記第１の動作モードから前記第２の動作モードへ遷移させるステップと、前記第２の移動性状態を前記第２の動作モードに適用するステップとを含むことを特徴とする方法。
【００７３】
１０．前記対応付けるステップが、前記第１の動作モードにおける前記移動性状態を前記第２の動作モードにおいて同一の移動性状態に対応付けるステップを含むことを特徴とする実施形態９に記載の方法。
【００７４】
１１．前記対応付けるステップが、前記第１の動作モードにおける前記移動性状態を前記第２の動作モードにおいて異なった移動性状態に対応付けることを含むことを特徴とする実施形態９に記載の方法。
【００７５】
１２．動作モードの間でＷＴＲＵ（Ｗｉｒｅｌｅｓｓ  Ｔｒａｎｓｍｉｔ  Ｒｅｃｅｉｖｅ  Ｕｎｉｔ：無線送受信ユニット）の移動性状態を変換するための方法であって、第１の動作モードから第２の動作モードへ前記ＷＴＲＵを遷移させるステップと、前記ＷＴＲＵを前記第２の動作モードに遷移させるステップに応答して、前記移動性状態を静止状態または通常移動性状態にリセットするステップとを含むことを特徴とする方法。
【００７６】
１３．ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）に移動性状態を割り付けるための方法であって、第１の動作モードから第２の動作モードへ前記ＷＴＲＵを遷移させるステップと、前記第２の動作モードにおける移動性状態をネットワークに報告するステップと、前記ネットワークから新規の移動性状態を受信するステップと、前記新規の移動性状態を前記第２の動作モードに適用するステップとを含むことを特徴とする方法。
【００７７】
１４．前記報告するステップが、ＲＲＣ（Ｒａｄｉｏ  Ｒｅｓｏｕｒｃｅ  Ｃｏｎｔｒｏｌ：無線リソース制御）メッセージを送るステップを含むこと、および前記受信するステップが、ＲＲＣメッセージを受信するステップを含むことを特徴とする実施形態１３に記載の方法。
【００７８】
１５．前記新規の移動性状態を要求するステップをさらに含むことを特徴とする実施形態１３または１４に記載の方法。
【００７９】
１６．前記要求するステップが、前記報告するステップと同時に実行されることを特徴とする実施形態１５に記載の方法。
【００８０】
１７．前記要求するステップが、前記報告するステップの後に実行されることを特徴とする実施形態１５に記載の方法。
【００８１】
１８．ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）がＣＳＧ（Ｃｌｏｓｅｄ  Ｓｕｂｓｃｒｉｂｅｒ  Ｇｒｏｕｐ）セルにアクセスできるかを判定するための方法であって、ＣＳＧ加入状態を受信するステップと、前記ＣＳＧ加入状態を格納するステップと、ＣＳＧセルを検出するステップと、前記格納されたＣＳＧ加入者状態を精査して前記ＷＴＲＵが前記検出されたＣＳＧセルにアクセスできるかを判定するステップとを含むことを特徴とする方法。
【００８２】
１９．前記検出するステップが、前記ＣＳＧセルがカバー範囲拡張ＣＳＧセルであるかを検出するステップを含むことを特徴とする実施形態１８に記載の方法。
【００８３】
２０．前記検出するステップが、システム情報中の表示子を精査するステップを含むことを特徴とする実施形態１８または１９に記載の方法。
【００８４】
２１．前記検出するステップが、前記検出されたＣＳＧセルの物理セル識別子を精査するステップを含むことを特徴とする実施形態１８または１９に記載の方法。
【００８５】
２２．前記ＷＴＲＵが前記検出されたＣＳＧセルにアクセスすることができるという条件にて、前記ＷＴＲＵにて格納されたアクセス可能セルのホワイト・リストに前記検出されたＣＳＧセルの識別子を追加するステップと、前記検出されたＣＳＧセルにアクセスするステップとをさらに含むことを特徴とする実施形態１８〜２１の内の１つに記載の方法。
【００８６】
２３．前記ＷＴＲＵが前記検出されたＣＳＧセルにアクセスすることができないという条件にて、前記検出されたＣＳＧセルの前記識別子が前記ＷＴＲＵにて格納されたアクセス可能セルのホワイト・リスト中にあるかを判定するステップと、前記検出されたＣＳＧセルの前記識別子が前記ホワイト・リスト中にあるという条件にて、前記検出されたＣＳＧセルにアクセスするステップとをさらに含むことを特徴とする実施形態１８〜２１の内の１つに記載の方法。
【００８７】
２４．実施形態１〜２３の内の１つに記載の方法を実行するように構成されることを特徴とする無線送受信ユニット（ｗｉｒｅｌｅｓｓ  ｔｒａｎｓｍｉｔ  ｒｅｃｅｉｖｅ  ｕｎｉｔ）。
【００８８】
特徴および要素が上で特定の組み合わせにて記述されているが、それぞれの特徴または要素は、他の特徴および要素なしで単独にて、または他の特徴および要素のあるなしに拘わらず様々な組み合わせにて使用することができる。ここに提供される方法またはフロー図は、汎用目的のコンピューターまたは処理装置による実行のための、コンピューターにて読み取り可能な記憶装置媒体に組み込まれたコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００８９】
適当な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００９０】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー機器）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールまたはＵＷＢ（Ｕｌｔｒａ  Ｗｉｄｅ  Ｂａｎｄ：超広帯域）モジュールなどのモジュールと連動して使用することができる。
【図１】
0005883088.tif 000003
【図２】
0005883088.tif 000004
【図３】
0005883088.tif 000005
【図４】
0005883088.tif 000006
【図５】
0005883088.tif 000007
【図６】
0005883088.tif 000008